(57)【要約】【課題】カードの回収が容易で、小型のカード処理装置を提供すること。【解決手段】カード処理装置１は、筐体１０の内部に設けられ、挿入されたカードＣのデータを読み書きするカード処理部２０と、筐体１０の内部に移動可能に設けられ、カードＣが挿入されることにより、挿入口１１からのカード通路１１２を閉鎖する第１の位置Ｐ１から開放する第２の位置Ｐ２へ移動するカード押圧手段３０と、カード押圧手段３０に対向して設けられ、カード処理部２０によって回収すべきと判定されたカードＣを収納する収納部４０と、カード押圧手段３０が第２の位置Ｐ２にあるときにカード押圧手段３０と収納部４０との間にあって収納部４０側にのみ回動可能に軸支された回動部材５０とを備えている。【選択図】図４
2015138463.tif 000002
【特許請求の範囲】
【請求項１】
カードの挿入口を有する筐体と、
前記筐体の内部に設けられ、挿入された前記カードのデータを読み書きするカード処理部と、
前記筐体の内部に移動可能に設けられ、前記カードが挿入されることにより、前記挿入口からのカード通路を閉鎖する第１の位置から開放する第２の位置へ移動するカード押圧手段と、
前記カード押圧手段に対向して設けられ、前記カード処理部によって回収すべきと判定された前記カードを収納する収納部と、
前記カード押圧手段が前記第２の位置にあるときに前記カード押圧手段と前記収納部との間にあって前記収納部側にのみ回動可能に軸支された回動部材とを備え、
前記カード押圧手段が前記カードをもって前記回動部材を押し分けつつ前記カードを前記収納部に向けて押圧しながら前記第２の位置から前記第１の位置へ移動し、前記回動部材が前記カードの通過後もとの位置に復帰して前記カードを前記収納部内に不可逆的に収納する
ことを特徴とするカード処理装置。
【請求項２】
前記収納部が前記カード押圧手段の押圧方向と反対方向に付勢された付勢部材を備え、
前記収納部及び前記付勢部材が、前記カードの所望の収納枚数に応じてそれらの前記押圧方向の長さを調整可能に設けられている
ことを特徴とする請求項１に記載のカード処理装置。
【請求項３】
前記カード押圧手段が前記収納部側に開放された凹部を有する押圧部材を備え、
前記カード処理部が、前記凹部の内部に設けられている
ことを特徴とする請求項１又は２に記載のカード処理装置。
【発明の詳細な説明】
【技術分野】
【０００１】
本発明は、カード処理装置に関する。
【背景技術】
【０００２】
使用済みカードや使用不能なカードを回収するカード処理機が知られている。例えば、自動販売機等の機内に設置され、カードの落下方向に回収箱を設けてカードを積み重ねて回収するカード処理機が知られている（特許文献１参照）。また、カウンタ等の卓上に設置され、カードを積み重ねて回収するカード処理機が知られている（例えば、特許文献２参照）。
【先行技術文献】
【特許文献】
【０００３】
【特許文献１】特開平６−２７１１６９号公報
【特許文献２】特開平５−４２２５０号公報
【発明の概要】
【発明が解決しようとする課題】
【０００４】
本発明は、カードの回収が容易で、小型のカード処理装置を提供する。
【課題を解決するための手段】
【０００５】
（１）本発明に係る態様は、カードの挿入口を有する筐体と、筐体の内部に設けられ、挿入されたカードのデータを読み書きするカード処理部と、筐体の内部に移動可能に設けられ、カードが挿入されることにより、挿入口からのカード通路を閉鎖する第１の位置から開放する第２の位置へ移動するカード押圧手段と、カード押圧手段に対向して設けられ、カード処理部によって回収すべきと判定されたカードを収納する収納部と、カード押圧手段が第２の位置にあるときにカード押圧手段と収納部との間にあって収納部側にのみ回動可能に軸支された回動部材とを備え、カード押圧手段がカードをもって回動部材を押し分けつつカードを収納部に向けて押圧しながら第２の位置から第１の位置へ移動し、回動部材がカードの通過後もとの位置に復帰してカードを収納部内に不可逆的に収納するカード処理装置を提供する。
（２）上記（１）に記載のカード処理装置において、収納部がカード押圧手段の押圧方向と反対方向に付勢された付勢部材を備え、収納部及び付勢部材が、カードの所望の収納枚数に応じてそれらの押圧方向の長さを調整可能に設けられていてもよい。
（３）上記（１）又は上記（２）に記載のカード処理装置において、カード押圧手段が収納部側に開放された凹部を有する押圧部材を備え、カード処理部が、凹部の内部に設けられてもよい。
【発明の効果】
【０００６】
本発明によれば、カードの回収が容易で、小型のカード処理装置を提供できる。
【図面の簡単な説明】
【０００７】
【図１】本発明の実施形態に係るカード処理装置を示す斜視図である。
【図２】カード処理装置を示す平面図である。
【図３】（ａ）はカード挿入時の図２におけるＡ−Ａ断面図、（ｂ）は（ａ）におけるＢ−Ｂ断面図である。
【図４】（ａ）はカードのデータ読み書き時の図２におけるＡ−Ａ断面図、（ｂ）は（ａ）におけるＢ−Ｂ断面図である。
【図５】（ａ）はカード収納途中の図２におけるＡ−Ａ断面図、（ｂ）（ａ）におけるＢ−Ｂ断面図である。
【図６】（ａ）はカード収納時の図２におけるＡ−Ａ断面図、（ｂ）は（ａ）におけるＢ−Ｂ断面図である。
【図７】（ａ）はカードが所望の枚数収納された時の図２におけるＡ−Ａ断面図、（ｂ）は（ａ）におけるＢ−Ｂ断面図である。
【発明を実施するための形態】
【０００８】
本発明の実施形態に係るカード処理装置１は、カードＣの読み書きを行い、残高、ポイント等がなくなった又は使用不能となった回収すべきカードＣを、所望の枚数収納した後取り出せる装置である。実施形態では、カードＣの読み書きを非接触で行う場合を説明する。例えば、カードＣは、ＲＡＭとアンテナを有する非接触カードを用いることができる。また、カード処理装置１を駆動する電源の説明は省略するが、外部電源、バッテリー等の内部電源を用いることができる。
【０００９】
以下、カード処理装置１を、添付図面を参照して詳細に説明する。図１及び図２において、カード処理装置１は、カードＣを挿入する挿入口１１を有する筐体１０を備えている。挿入口１１には、指を入れて挿入されたカードＣを抜き取るための開口１１１が形成されている。また、筐体１０は、収納されたカードＣを覆う蓋１２と、液晶表示を行うタッチパネルを有する操作部１３とを備えている。
【００１０】
筐体１０の形状は、直方体の上面から短辺側の一つの側面に向かって切断して三角柱を取り除いた形状である。三角柱を取り除いた斜面部分には操作部１３が設けられている。また、筐体１０の各辺は、面取り形状となっている。
【００１１】
挿入口１１は、筐体１０の上面の短辺方向にカードＣの幅に合わせて形成されている。挿入口１１の形状は、カードＣが一枚挿入できるようにその幅がカードＣの厚みに合わせたスリット形状である。開口１１１は、挿入口１１の操作部１３側に形成され、指が挿入できるようにその内面が曲面で形成されている。実施形態では、開口１１１の内面は球面である。
【００１２】
蓋１２は、挿入口１１を挟んで操作部１３の反対側で、筐体１０の上面から長辺側の両側面にかけて、開閉可能又は取り外し可能に設けられている。
【００１３】
図３及び図４において、カード処理装置１は、筐体１０の内部に設けられ、挿入されたカードＣのデータを読み書きするカード処理部２０と、筐体１０の内部に移動可能に設けられ、カードＣが挿入されることにより、挿入口１１からのカード通路１１２を閉鎖する第１の位置Ｐ１から開放する第２の位置Ｐ２へ移動するカード押圧手段３０と、カード押圧手段３０に対向して設けられ、カード処理部２０によって回収すべきと判定されたカードＣを収納する収納部４０と、カード押圧手段３０が第２の位置Ｐ２にあるときにカード押圧手段３０と収納部４０との間にあって収納部４０側にのみ回動可能に軸支された回動部材５０とを備えている。以下の図には、必要に応じてカードＣの挿入方向Ｉ及びカード押圧手段３０の押圧方向Ｆを実線矢印で示した。
【００１４】
カード処理部２０は、カード押圧手段３０に設けられている。より詳しくは、カード押圧手段３０が収納部４０側に開放された凹部３１０を有する押圧部材３１を備え、カード処理部２０が、凹部３１０に設けられている。カード処理部２０は、アンテナ回路２１と制御回路２２等を備え、カードＣに非接触でデータの読み書きを行う。
【００１５】
カード押圧手段３０は、押圧部材３１に連結されたソレノイドアクチュエータ３２を備えている。押圧部材３１とソレノイドアクチュエータ３２とは、押圧部材３１がカードＣの挿入、抜き取り方向に移動できるようにジョイントで連結されている。ジョイントにより、カードＣの挿入、抜き取りの際に、カードＣが押圧部材３１に接触しても押圧部材３１が移動してカードＤからの力を逃がし、押圧部材３１の摩擦によるカードＣへの傷等を低減できる。
【００１６】
ソレノイドアクチュエータ３２は、ソレノイド３２０と可動鉄心３２１とばね３２２とを備えている。可動鉄心３２１の一端側は、ソレノイド３２０の中を可動可能に配置されている。可動鉄心３２１のソレノイド３２０の外部に露出した他端側には、ばね３２２の一端が取り付けられ、ばね３２２の他端はソレノイド３２０の可動鉄心３２１が挿入された側に接触又は取り付けられている。
【００１７】
ソレノイドアクチュエータ３２において、ソレノイド３２０に電流が流れると、可動鉄心３２１がソレノイド３２０内に引き込まれる（図４参照）。ソレノイド３２０に電流が流れていない状態では、ばね３２２によって可動鉄心３２１がソレノイド３２０から引き出される方向に移動する（図３参照）。ばね３２２の長さ、ばね３２２の反力、可動鉄心３２１がソレノイド３２０に引き込まれる電磁力等によって可動鉄心３２１の可動範囲を決めることができる。
【００１８】
収納部４０は、カード押圧手段３０の押圧方向Ｆと反対方向に付勢された付勢部材４１を備え、収納部４０及び付勢部材４１が、カードＣの所望の収納枚数に応じてそれらの押圧方向Ｆの長さを調整可能に設けられている。
【００１９】
より具体的には、収納部４０は、付勢部材４１の他に、付勢部材４１に設けられた心棒４２及び付勢部材４１と筐体１０との間に心棒４２を通したばね４３を備えている。ばね４３の筐体１０側は、筐体１０に形成された複数の突起部１４に挟まれて位置が固定されている。収納部４０及び付勢部材４１の押圧方向Ｆの長さは、ばね４３が最も縮んだ時の長さ、心棒４２の長さ、付勢部材４１の押圧方向Ｆの長さを調節することで決めることができる。また、付勢部材４１には、ばね４３に押されて押圧方向Ｆとは反対方向への移動を規制するための筐体１０と係止する係止部４１０が形成されている。
【００２０】
回動部材５０は、収納部４０側に回動可能に軸支されている。また、図示しないばね等でカード押圧手段３０側に付勢されている。さらに、カード押圧手段３０がカード通路１１２を開放する第２の位置Ｐ２へ移動した状態で、回動部材５０は、カード押圧手段３０との間にカード通路１１２を形成する位置で止まるように、図示しない規制部等でカード押圧手段３０側への回動が規制されている。
【００２１】
以下に、カードＣの挿入、抜き取り、読み書き、収納、収納されたカードＣの取り出しを図３〜図７を用いて説明する。図３及び図４において、カードＣが挿入口１１から挿入方向Ｉに挿入されると、図示しないセンサー等によってカードＣを感知し、ソレノイド３２０に電流が流れる。ソレノイド３２０に電流が流れると、カード押圧手段３０が、挿入口１１からのカード通路１１２を閉鎖する図３に示した第１の位置Ｐ１から開放する図４に示した第２の位置Ｐ２へ移動する。ソレノイド３２０へ電流を流すか否かは、図示しない制御部によって制御される。以下、各部は制御部によって制御されている。
【００２２】
図４において、挿入されたカードＣはカード通路１１２を通過し、カード押圧手段３０と対向して設けられた収納部４０との間に挿入される。この状態で、カード処理部２０が作動し、挿入されたカードＣのデータを読み書きする。ここで、カード処理部２０がカードＣを回収すべきと判定しない場合、操作部１３に残高、ポイント等を表示し、カードＣの抜き取りを促す。カードＣを挿入した者は、開口１１１に指を入れてカードＣを抜き取る。
【００２３】
一方、図５において、カード処理部２０がカードＣを回収すべきと判定した場合、カード押圧手段３０がカードＣをもって回動部材５０を押し分けつつカードＣを収納部４０に向けて押圧しながら第２の位置Ｐ２から第１の位置Ｐ１に向けて移動する。
【００２４】
次に、図６において、カード押圧手段３０が第１の位置Ｐ１にくると、回動部材５０がカードＣの通過後もとの位置に復帰してカードＣを収納部４０内に不可逆的に収納する。このとき、付勢部材４１が、ばね４３に抗して押圧方向ＦにカードＣ１枚分の厚さほど移動する。
【００２５】
図６の状態から、再びカードＣが挿入されると、ソレノイド３２０に電流が流れ、カード押圧手段３０が、挿入口１１からのカード通路１１２を開放する図４に示した第２の位置Ｐ２へ移動する。このとき、収納されたカードＣは、付勢部材４１と回動部材５０との間で収納部４０内に不可逆的に収納される。
【００２６】
図７において、カードＣの収納が繰り返し行われ、カードＣが所望の枚数収納部４０に収納されると、操作部１３に収納されたカードＣを取り出す旨が表示される。表示に従い、蓋１２を開けて所望の枚数のカードＣを取り出し、再利用、破棄等を行う。
【００２７】
実施形態によれば、カード処理部２０によるカード処理の位置からカードＣの厚み方向へカードＣを収納するので、カード処理装置１の高さ方向にスペースを取る必要がなく、小型のカード処理装置１を提供できる。また、押圧部材３１と付勢部材４１とでカードＣを挟持するので、カードＣが束になっており、カードＣの回収が容易になる。
【００２８】
以上述べた実施形態において、カード処理部２０がカードＣを回収すべきと判定しない場合、カードＣを挿入した者が、開口１１１に指を入れてカードＣを抜き取る代わりに、カードＣをポップアップさせる等の返却機構を設けてもよい。
【符号の説明】
【００２９】
１  カード処理装置
１０  筐体
１１  挿入口
１２  蓋
１３  操作部
１４  突起部
２０  カード処理部
２１  アンテナ回路
２２  制御回路
３０  カード押圧手段
３１  押圧部材
３２  ソレノイドアクチュエータ
４０  収納部
４１  付勢部材
４２  心棒
４３  ばね
５０  回動部材
１１１  開口
１１２  カード通路
３１０  凹部
３２０  ソレノイド
３２１  可動鉄心
３２２  ばね
４１０  係止部
Ｃ  カード
Ｆ  押圧方向
Ｉ  挿入方向
Ｐ１  第１の位置
Ｐ２  第２の位置
【図１】
2015138463.tif 000003
【図２】
2015138463.tif 000004
【図３】
2015138463.tif 000005
【図４】
2015138463.tif 000006
【図５】
2015138463.tif 000007
【図６】
2015138463.tif 000008
【図７】
2015138463.tif 000009